(57)【特許請求の範囲】
【請求項１】
ＲＧＢの色成分を有し、白色又は他の色の光を発するバックライトと、ＲＧＢＷよりなる複数の画素を有する液晶表示部とを備える表示装置において、
前記バックライトが白光を発する場合を仮定して前記液晶表示部を通過する光の色を特定する特定ＲＧＢ値に基づき、前記液晶表示部の駆動に係る第１ＲＧＢ値を算出する算出手段と、
前記第１ＲＧＢ値に基づき、前記液晶表示部を駆動する液晶駆動部とを備え、
前記算出手段は、
前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出するＲＧＢ算出手段と、
ＲＧＢ値で表される、表示すべき画像の階調値の中の最小値を該階調値の夫々に加算して、前記特定ＲＧＢ値を算出する特定値算出手段と、
前記第２ＲＧＢ値の中の最小値であるＷ画素に係る値と前記第３ＲＧＢ値の各色成分との乗算を行い、Ｗ画素を通過する光の色成分を算出する乗算手段と、
前記特定値算出手段によって算出された特定ＲＧＢ値から、前記乗算手段による乗算の結果を減算する減算手段とを備え、
該減算手段による減算の結果を、前記第３ＲＧＢ値にて除算することにより、前記第１ＲＧＢ値を算出するように構成されていることを特徴とする表示装置。
【請求項２】
ＲＧＢの色成分を有し、白色又は他の色の光を発するバックライトと、ＲＧＢＷよりなる複数の画素を有する液晶表示部とを備える表示装置にて、該液晶表示部を駆動する駆動方法において、
前記バックライトが白光を発する場合を仮定して前記液晶表示部を通過する光の色を特定する特定ＲＧＢ値に基づき、前記液晶表示部の駆動に係る第１ＲＧＢ値を算出する算出ステップと、
前記第１ＲＧＢ値に基づき、前記液晶表示部を駆動するステップとを含み、
前記算出ステップとして、
前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出するＲＧＢ算出ステップと、
ＲＧＢ値で表される、表示すべき画像の階調値の中の最小値を該階調値の夫々に加算して、前記特定ＲＧＢ値を算出する特定値算出ステップと、
前記第２ＲＧＢ値の中の最小値であるＷ画素に係る値と前記第３ＲＧＢ値の各色成分との乗算を行い、Ｗ画素を通過する光の色成分を算出する乗算ステップと、
前記特定値算出ステップによって算出された特定ＲＧＢ値から、前記乗算ステップによる乗算の結果を減算する減算ステップと、
該減算ステップによる減算の結果を、前記第３ＲＧＢ値にて除算することにより、前記第１ＲＧＢ値を算出するステップと
を含むことを特徴とする駆動方法。
【請求項３】
ＲＧＢの色成分を有し、白色又は他の色の光を発するバックライトと、ＲＧＢＷよりなる複数の画素を有する液晶表示部とを制御するコンピュータに、該液晶表示部を駆動させるコンピュータプログラムにおいて、
コンピュータに、前記バックライトが白光を発する場合を仮定して前記液晶表示部を通過する光の色を特定する特定ＲＧＢ値に基づき、前記液晶表示部の駆動に係る第１ＲＧＢ値を算出させる算出ステップと、
コンピュータに、前記第１ＲＧＢ値に基づき、前記液晶表示部を駆動させるステップとを実行させ、
前記算出ステップとして、
コンピュータに、前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出させるＲＧＢ算出ステップと、
コンピュータに、ＲＧＢ値で表される、表示すべき画像の階調値の中の最小値を該階調値の夫々に加算して、前記特定ＲＧＢ値を算出させる特定値算出ステップと、
コンピュータに、前記第２ＲＧＢ値の中の最小値であるＷ画素に係る値と前記第３ＲＧＢ値の各色成分との乗算を行い、Ｗ画素を通過する光の色成分を算出させる乗算ステップと、
コンピュータに、前記特定値算出ステップによって算出された特定ＲＧＢ値から、前記乗算ステップによる乗算の結果を減算させる減算ステップと、
コンピュータに、該減算ステップによる減算の結果を、前記第３ＲＧＢ値にて除算して、前記第１ＲＧＢ値を算出させるステップと
を実行させることを特徴とするコンピュータプログラム。
【請求項４】
請求項３に記載のコンピュータプログラムを記録してあることを特徴とするコンピュータでの読み取りが可能な記録媒体。
【発明の詳細な説明】
【技術分野】
【０００１】
本発明は、複数の色成分を有するバックライトと、液晶表示部とを備える表示装置、並びに該表示装置に係る駆動方法、コンピュータプログラム、及び該コンピュータプログラムが記録された記録媒体に関する。
【背景技術】
【０００２】
近年、液晶パネルの透過率を向上させて、バックライトの輝度を効率よく使用するために、従来のＲＧＢの３原色以外に白色（Ｗ）画素を追加した表示装置が知られている。
【０００３】
例えば、特許文献１においては、ＲＧＢフィルタに透明フィルタ（Ｗ）を付加したＲＧＢＷ型液晶装置であって、入力されたオリジナル画像の赤色成分、緑色成分及び青色成分に、輝度向上のための白色成分を加えた後、さらにこれらの白色成分付加後の赤色成分、緑色成分及び青色成分の比率をオリジナル画像の赤色成分、緑色成分及び青色成分の比率に換算して、各ＲＧＢＷ画素を駆動する液晶表示装置が開示されている。
【０００４】
また、特許文献２においては、１画素が、赤、緑、青、及び白の４サブピクセルに分割された液晶パネルと、発光輝度を制御可能なバックライトとを備え、液晶パネルのみならず、カラーフィルタによって吸収される光量を減らし、消費電力のさらなる削減を達成できる透過型液晶表示装置が開示されている。
【先行技術文献】
【特許文献】
【０００５】
【特許文献１】特開２００１−１４７６６６号公報
【特許文献２】特開２００８−１３９８０９号公報
【発明の概要】
【発明が解決しようとする課題】
【０００６】
一方、複数の色成分（例えば、ＲＧＢ）からなるバックライトを備える表示装置においては、表示すべき画像に応じて、換言すれば、当該液晶パネルのカラーフィルタを通して表示すべき光の色に応じて、前記バックライトの各色成分を独立に制御しているので、その都度、該バックライトが発する色が異なる。従って、複数の色成分からなるバックライトと、白色の画素を有する液晶パネルとを備える表示装置においては、本来に表示すべき光の色が表示できないという問題があった。
【０００７】
詳しくは、実際、白色の画素とは、透明のカラーフィルタが付けられ、又はカラーフィルタが付けられていないものであり、バックライトからの光がそのまま通過する。その結果、白色の画素を通過した光が所定の色を有する場合は、該色の影響によって、液晶パネルに表示すべき光の色相が変わってしまう問題である。
【０００８】
しかしながら、上述した特許文献１及び２の液晶表示装置は、何れにおいても、バックライトが白光であることを前提としているため、複数の色成分からなるバックライトにおける、上述した問題には対応できない。
【０００９】
本発明は、斯かる事情に鑑みてなされたものであり、その目的とするところは、ＲＧＢの色成分を有し、白色又は他の色の光を発するバックライトと、ＲＧＢＷよりなる複数の画素を有する液晶表示部とを備える表示装置において、前記バックライトの駆動に係る第３ＲＧＢ値に乗算した値が表示すべき画像の階調値となるように、前記液晶表示部の駆動に係る第２ＲＧＢ値を算出し、表示すべき画像の階調値の中の最小値を該階調値の夫々に加算して、前記バックライトが白光を発する場合を仮定して前記液晶表示部を通過する光の色を特定する特定ＲＧＢ値を算出し、前記第２ＲＧＢ値の中のＷ画素に係る値と前記第３ＲＧＢ値の各色成分との乗算を行い、Ｗ画素を通過する光の色成分を算出し、斯かる乗算の結果を前記特定ＲＧＢ値から減算して該減算の結果を、前記第３ＲＧＢ値にて除算することにより、前記第１ＲＧＢ値を算出し、該第１ＲＧＢ値に基づき、前記液晶表示部を駆動することにより、バックライトからの光が白色の画素を通してそのまま通過した結果、白色の画素を通過した光の色の影響によって液晶パネルに表示すべき光の色相が変わる問題を防止できる表示装置、駆動方法、コンピュータプログラム及び該コンピュータプログラムが記録された記録媒体を提供することにある。
【課題を解決するための手段】
【００１０】
本発明に係る表示装置は、ＲＧＢの色成分を有し、白色又は他の色の光を発するバックライトと、ＲＧＢＷよりなる複数の画素を有する液晶表示部とを備える表示装置において、前記バックライトが白光を発する場合を仮定して前記液晶表示部を通過する光の色を特定する特定ＲＧＢ値に基づき、前記液晶表示部の駆動に係る第１ＲＧＢ値を算出する算出手段と、前記第１ＲＧＢ値に基づき、前記液晶表示部を駆動する液晶駆動部とを備え、前記算出手段は、前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出するＲＧＢ算出手段と、ＲＧＢ値で表される、表示すべき画像の階調値の中の最小値を該階調値の夫々に加算して、前記特定ＲＧＢ値を算出する特定値算出手段と、前記第２ＲＧＢ値の中の最小値であるＷ画素に係る値と前記第３ＲＧＢ値の各色成分との乗算を行い、Ｗ画素を通過する光の色成分を算出する乗算手段と、前記特定値算出手段によって算出された特定ＲＧＢ値から、前記乗算手段による乗算の結果を減算する減算手段とを備え、該減算手段による減算の結果を、前記第３ＲＧＢ値にて除算することにより、前記第１ＲＧＢ値を算出するように構成されていることを特徴とする。
【００１１】
本発明にあっては、前記バックライトが所定の色の光を発する際、前記算出手段が、前記バックライトの駆動に係る第３ＲＧＢ値に乗算した値が表示すべき画像の階調値となるように、前記液晶表示部の駆動に係る第２ＲＧＢ値を算出し、表示すべき画像の階調値の中の最小値を該階調値の夫々に加算して、前記バックライトが白光を発する場合を仮定して前記液晶表示部を通過する光の色を特定する特定ＲＧＢ値を算出し、前記第２ＲＧＢ値の中のＷ画素に係る値と前記第３ＲＧＢ値の各色成分との乗算を行い、Ｗ画素を通過する光の色成分を算出し、斯かる乗算の結果を前記特定ＲＧＢ値から減算した結果を、前記第３ＲＧＢ値にて除算することにより、前記第１ＲＧＢ値を算出し、前記液晶駆動部は該第１ＲＧＢ値に基づき、前記液晶表示部を駆動する。
【００１４】
本発明に係る駆動方法は、ＲＧＢの色成分を有し、白色又は他の色の光を発するバックライトと、ＲＧＢＷよりなる複数の画素を有する液晶表示部とを備える表示装置にて、該液晶表示部を駆動する駆動方法において、前記バックライトが白光を発する場合を仮定して前記液晶表示部を通過する光の色を特定する特定ＲＧＢ値に基づき、前記液晶表示部の駆動に係る第１ＲＧＢ値を算出する算出ステップと、前記第１ＲＧＢ値に基づき、前記液晶表示部を駆動するステップとを含み、前記算出ステップとして、前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出するＲＧＢ算出ステップと、ＲＧＢ値で表される、表示すべき画像の階調値の中の最小値を該階調値の夫々に加算して、前記特定ＲＧＢ値を算出する特定値算出ステップと、前記第２ＲＧＢ値の中の最小値であるＷ画素に係る値と前記第３ＲＧＢ値の各色成分との乗算を行い、Ｗ画素を通過する光の色成分を算出する乗算ステップと、前記特定値算出ステップによって算出された特定ＲＧＢ値から、前記乗算ステップによる乗算の結果を減算する減算ステップと、該減算ステップによる減算の結果を、前記第３ＲＧＢ値にて除算することにより、前記第１ＲＧＢ値を算出するステップとを含むことを特徴とする。
【００１５】
本発明に係るコンピュータプログラムは、ＲＧＢの色成分を有し、白色又は他の色の光を発するバックライトと、ＲＧＢＷよりなる複数の画素を有する液晶表示部とを制御するコンピュータに、該液晶表示部を駆動させるコンピュータプログラムにおいて、コンピュータに、前記バックライトが白光を発する場合を仮定して前記液晶表示部を通過する光の色を特定する特定ＲＧＢ値に基づき、前記液晶表示部の駆動に係る第１ＲＧＢ値を算出させる算出ステップと、コンピュータに、前記第１ＲＧＢ値に基づき、前記液晶表示部を駆動させるステップとを実行させ、前記算出ステップとして、コンピュータに、前記液晶表示部の駆動に係る第２ＲＧＢ値に前記バックライトの駆動に係る第３ＲＧＢ値を乗算した値が表示すべき画像の階調値となるように、前記第２ＲＧＢ値及び第３ＲＧＢ値を算出させるＲＧＢ算出ステップと、コンピュータに、ＲＧＢ値で表される、表示すべき画像の階調値の中の最小値を該階調値の夫々に加算して、前記特定ＲＧＢ値を算出させる特定値算出ステップと、コンピュータに、前記第２ＲＧＢ値の中の最小値であるＷ画素に係る値と前記第３ＲＧＢ値の各色成分との乗算を行い、Ｗ画素を通過する光の色成分を算出させる乗算ステップと、コンピュータに、前記特定値算出ステップによって算出された特定ＲＧＢ値から、前記乗算ステップによる乗算の結果を減算させる減算ステップと、コンピュータに、該減算ステップによる減算の結果を、前記第３ＲＧＢ値にて除算して、前記第１ＲＧＢ値を算出させるステップとを実行させることを特徴とする。
【００１６】
本発明にあっては、前記バックライトが所定の色の光を発する際、前記バックライトの駆動に係る第３ＲＧＢ値に乗算した値が表示すべき画像の階調値となるように、前記液晶表示部の駆動に係る第２ＲＧＢ値が算出され、表示すべき画像の階調値の中の最小値を該階調値の夫々に加算して、前記バックライトが白光を発する場合を仮定して前記液晶表示部を通過する光の色を特定する特定ＲＧＢ値が算出され、前記第２ＲＧＢ値の中のＷ画素に係る値と前記第３ＲＧＢ値の各色成分との乗算が行われ、Ｗ画素を通過する光の色成分が算出され、斯かる乗算の結果を前記特定ＲＧＢ値から減算した結果を前記第３ＲＧＢ値にて除算することにより、前記第１ＲＧＢ値が算出され、該第１ＲＧＢ値に基づき、前記液晶表示部が駆動される。
【００２０】
本発明に係る記録媒体は、前述の発明のコンピュータプログラムを記録してあることを特徴とする。
【００２１】
本発明にあっては、前記記録媒体に前述のコンピュータプログラムを記録する。コンピュータが前記記録媒体からコンピュータプログラムを読み出して、前述の表示装置及び駆動方法がコンピュータにより実現される。
【発明の効果】
【００２２】
本発明によれば、複数の色成分を有し、白色又は他の色の光を発するバックライトが白色でない所定の色の光を発する場合、当該光が白色の画素を通してそのまま通過した結果、白色の画素を通過した光の色の影響によって液晶パネルに表示すべき光の色相が変わる問題を防止できる。
【図面の簡単な説明】
【００２３】
【図１】本発明の実施の形態１に係る表示装置の要部構成を示す機能ブロック図である。
【図２】本発明の実施の形態１の例における、ＲＧＢ色分及びＷ色分の割合を表すグラフである。
【図３】バックライトが白光を発する場合における、ＲＧＢ色分及びＷ色分の割合を表すグラフである。
【図４】本発明の実施の形態１に係る表示装置のデータ算出部の要部構成を示す機能ブロック図である。
【図５】本発明の実施の形態１に係る表示装置のデータ補正部によって得られる液晶パネル階調値に基づく表示における、ＲＧＢ色分及びＷ色分の割合を表すグラフである。
【図６】本発明の実施の形態１に係る表示装置における、液晶パネル階調値の生成処理を説明するフローチャートである。
【図７】本発明の実施の形態２に係る表示装置の要部構成を示す機能ブロック図である。
【発明を実施するための形態】
【００２４】
（実施の形態１）
以下に、本発明の実施の形態に係る、表示装置、駆動方法、及びコンピュータプログラムを、図面に基づいて詳述する。
【００２５】
図１は本発明の実施の形態１に係る表示装置１の要部構成を示す機能ブロック図である。表示装置１は画像データ取得部２と、データ処理部３と、表示部１０と、ドライバ制御部８と、バックライト駆動部９とを備えている。
【００２６】
画像データ取得部２は、例えば、表示しない記憶部から表示部１０に表示すべき画像に係るデータ（例えば、ＲＧＢ値）（以下、画像データと言う。）を取得する。また、これに限るものでなく、表示しないネットワークカード又はモデム等を用いて公衆回線網、ＬＡＮ（Local Area Network）又はインターネット等の通信ネットワークに接続して外部から所定の画像データを取得するように構成しても良い。画像データ取得部２はさまざまな入力画像データを切り替えて、データ処理部３に送る。
【００２７】
データ処理部３は、ＲＧＢデータ処理部４と、データ算出部５と、遅延処理部６と、タイミングコントローラ７（液晶駆動部）とを備えている。
【００２８】
ＲＧＢデータ処理部４は、入力フォーマットがＲＧＢでないものはＲＧＢデータに変換し、データフォーマットを統一する。
【００２９】
データ算出部５は、入力されたデータにさまざまな画像調整処理を施す。詳しくは、データ算出部５は、後述する液晶パネル１１の表示に用いられる液晶パネル階調値（第１ＲＧＢ値）のような液晶パネル用データと、後述するバックライト１２の点灯に用いられるバックライト階調値（第３ＲＧＢ値）のようなバックライト用データを生成する。また、液晶パネル用データに対して、色補正（輝度、彩度、色相の調整）、シャープネス調整、ガンマカーブ及び色温度の変更等を行う。データ算出部５による、液晶パネル階調値及びバックライト階調値の生成については、後で詳しく説明する。
【００３０】
データ算出部５によって生成されたバックライト用データ（バックライト階調値）はバックライト駆動部９に送られる。バックライト駆動部９は、該バックライト用データに基づき、バックライト１２を点灯させる。すなわち、バックライト駆動部９には、前記バックライト階調値を用いて、バックライト１２の後述するＬＥＤ毎の駆動制御を行う。
【００３１】
また、データ算出部５によって生成された液晶パネル用データ（液晶パネル階調値）は、遅延処理部６に送られる。遅延処理部６は、該液晶パネル用データが入力された場合、これを所定時間遅延させ、液晶パネル１１の動作タイミングとバックライト１２の動作タイミングとを合致させる。
【００３２】
タイミングコントローラ７はデータ算出部５によって生成された液晶パネル用データ（液晶パネル階調値）に基づき、ドライバ制御部８を介して、液晶パネル１１の各画素の透過率を制御する。
【００３３】
ドライバ制御部８は、タイミングコントローラ７からの指示に応じて、液晶パネル１１に接続されたソースドライバ及びゲートドライバ（図示せず）を制御し、液晶パネル１１を画素単位に駆動させ、所定の画像を表示する。
【００３４】
表示部１０は、例えば、ＬＣＤパネルからなり、所定の画像が表示される。また、表示部１０は、液晶パネル１１と、該液晶パネル１１に光を照射するバックライト１２とを備えている。
【００３５】
液晶パネル１１は、一対の透明基板と、これらの透明基板の間に設けられた液晶層及びカラーフィルタとを備えている。また、液晶パネル１１には、赤色（Ｒ）、緑色（Ｇ）、青色（Ｂ）及び白色（Ｗ）の４種からなる、複数の画素が設けられており、バックライト１２からの光を用いて、文字、画像などを表示する。
【００３６】
Ｒ画素、Ｇ画素及びＢ画素は、夫々、赤色、緑色及び青色のカラーフィルタを有しており、Ｗ画素は、透明のカラーフィルタ又はカラーフィルタを省いた構成である。
【００３７】
バックライト１２は、図示しない光学シート群と、拡散板と、赤色（Ｒ）、緑色（Ｇ）、及び青色（Ｂ）の三色の発光ダイオード（ＬＥＤ）の実装基板とを備えている。該ＬＥＤ基板はマトリクス状に設けられている。バックライト１２はＬＥＤ毎の制御を行い、白色又は他の色の光を発する。
【００３８】
上述したように、複数の色成分からなるバックライトと、白色の画素を有する液晶パネルとを備える表示装置においては、該バックライトが発する光色が白色でない場合、白色の画素を介して、バックライトの光がそのまま通過するので、本来液晶パネルに表示すべき光の色相が変わってしまう問題である。以下、表示すべき画像の階調値（ＲＧＢ値）が（１．０／０．８／０．２５）である場合を例として、詳しく説明する。
なお、（１．０／０．８／０．２５）は、Ｒ＝１．０、Ｇ＝０．８、Ｂ＝０．２５であり、ＲＧＢ階調値が８ビットである場合、各色成分の階調値（０〜２５５）の比率（２５５に対する比率）を表している。
【００３９】
一般に、液晶パネルを通過する光の色は、該液晶パネルの透過率及びバックライト（ＬＥＤ）の輝度の乗算によって特定できる。また、該液晶パネルの透過率及びバックライトの輝度は、表示すべき画像データの階調値（ＲＧＢ値）によって決められる。従って、液晶パネルの透過率の決定に係る階調値（液晶パネル階調値）、又はバックライトの輝度の決定に係る階調値（バックライト階調値）を変えることで、当該液晶パネルを通過する光の色を変更することが出来る。
【００４０】
従って、表示すべき画像のＲＧＢ値が（１．０／０．８／０．２５）である場合における、前記液晶パネル階調値及びバックライト階調値は、例えば、以下のようになる。(ＭＡＸ＝１．０) 
【００４１】
液晶パネル階調値：ＲＧＢＷ＝１．０／１．０／０．５／０．５  （過程ｉ） 
バックライト階調値：ＲＧＢ＝１．０／０．８／０．５          （過程ｉｉ）
ここで、液晶パネル階調値はリニアデータとし、液晶パネル階調値においては、ＲＧＢ階調値の中の最小値を、Ｗ画素に係る階調値とする。
【００４２】
この場合、バックライトからは白色でない所定の色の光が発せられるので、実際に液晶パネルを通過した光の色は、白色の画素を通過したバックライトの光の色の影響を受けている。
【００４３】
すなわち、液晶パネルのＲＧＢの画素部分を通過した光の色分（以下、ＲＧＢ色分と言う。）に、液晶パネルのＷの画素部分を通過した光の色分（以下、Ｗ色分と言う。）を加算した結果が、実際に液晶パネルを通過した光の色のＲＧＢ値となる。
【００４４】
ここで、ＲＧＢ色分（Ｒ（ｒ）、Ｇ（ｇ）、Ｂ（ｂ））は、以下のようになり、（過程ｉｉｉ）
Ｒ（ｒ）：１．０×１．０＝１．０  
Ｇ（ｇ）：１．０×０．８＝０．８
Ｂ（ｂ）：０．５×０．５＝０．２５  
【００４５】
ＲＧＢ夫々に対して、前記Ｗ色分（Ｗ（ｒ）、Ｗ（ｇ）、Ｗ（ｂ））は、液晶パネル階調値のＷ画素に係る値と、バックライト階調値との乗算によって決められ、以下のようになるので、（過程ｉｖ）
Ｗ（ｒ）：１．０×０．５＝０．５
Ｗ（ｇ）：０．８×０．５＝０．４
Ｗ（ｂ）：０．５×０．５＝０．２５
【００４６】
過程ｉｉｉで得られた値に、過程ｉｖで得られた値を加算した場合、（過程ｖ）
Ｒ：１．０＋０．５＝１．５  
Ｇ：０．８＋０．４＝１．２
Ｂ：０．２５＋０．２５＝０．５
となる。  
【００４７】
表示すべき画像のＲＧＢ値が（１．０／０．８／０．２５）であるにも関わらず、実際に液晶パネルを通過した光の色のＲＧＢ値は、（１．５／１．２／０．５）であり、たとえ、これを正規化したとしても（１／０．８／０．３３）であるので、表示すべき画像と異なる色相の画像が表示されることとなる。
【００４８】
図２は本発明の実施の形態１の例における、ＲＧＢ色分及びＷ色分の割合を表すグラフである。図２中、ハッチング部分は、ＲＧＢ色分を表す。図２が示すように、バックライトから白色でない所定の色の光が発せられる場合、白色の画素を通過したバックライトの光の色の影響がＲＧＢ毎に異なり、その結果、表示すべき画像の色と異なる色が表示されることが分かる。
【００４９】
なお、過程ｉ及び過程ｉｉにおける、液晶パネル階調値及びバックライト階調値は、以上の記載に限るものでない。例えば、液晶パネル階調値が‘ＲＧＢＷ＝１．０／１．０／１．０／１．０’であり、バックライト階調値が‘ＲＧＢ＝１．０／０．８／０．２５’であっても良く、液晶パネル階調値が‘ＲＧＢＷ＝１．０／０．８／０．２５／０．２５’であり、バックライト階調値が‘ＲＧＢ＝１．０／１．０／１．０’であっても良い。液晶パネル階調値及びバックライト階調値の乗算によって、表示すべき画像のＲＧＢ値が得られるようにすればよい。
【００５０】
一方、バックライトから白色の光が発せられている場合は、Ｗ画素を通過する光の色も白色であり、ＲＧＢの夫々に対してＷ色分を加算しても、色相が変化することはない。
【００５１】
例えば、Ｗ画素が‘０．５’であり、ＲＧＢ値が（０．５／０．５／０．５）である白色の光がバックライトから発せられている場合、Ｗ色分（Ｗ（ｒ）、Ｗ（ｇ）、Ｗ（ｂ））は、（０．２５、０．２５、０．２５）であるので、これをＲＧＢ色分に加算した場合、（過程ｖｉ）
Ｒ：１．０＋０．２５＝１．２５  
Ｇ：０．８＋０．２５＝１．０５
Ｂ：０．２５＋０．２５＝０．５
となる。  
【００５２】
図３はバックライトが白光を発する場合における、ＲＧＢ色分及びＷ色分の割合を表すグラフである。すなわち、図３には、過程ｖｉの結果を表している。図３中、ハッチング部分は、ＲＧＢ色分を表す。図３が示すように、バックライトから白色の光が発せられる場合、ＲＧＢの夫々の輝度が向上するが、色相は保たれていることが分かる。
【００５３】
本発明は、これに着目し、バックライトから白色の光が発せられている場合を仮定して、バックライトが発する光の色に応じて、液晶パネル階調値を算出することにより、前記色相の変化の問題を未然に防止するものである。
【００５４】
図４は本発明の実施の形態１に係る表示装置１のデータ算出部５の要部構成を示す機能ブロック図である。データ算出部５は、ＲＧＢ算出部５１と、特定値算出部５２と、乗算部５３と、減算部５４と、除算部５５とを備えている。以下、図２〜図４を用いて、本発明に係る表示装置１における、データ算出部５の処理を詳しく説明する。なお、説明の便宜上、図２及び図３の説明の場合と同様、表示すべき画像のＲＧＢ値が（１．０／０．８／０．２５）である場合を例として説明する。
【００５５】
本発明に係る表示装置１のデータ算出部５は、表示すべき画像のＲＧＢ値に基づき、バックライトから白色の光が発せられている場合と同じ結果となるよう、液晶パネル階調値（第１ＲＧＢ値）を算出する。
【００５６】
まず、ＲＧＢ算出部５１は、ＲＧＢデータ処理部４を介して入力される、表示すべき画像のＲＧＢ値に基づき、上述の過程ｉ及び過程ｉｉの場合と同様に、液晶パネル階調値（第２ＲＧＢ値）及びバックライト階調値（第３ＲＧＢ値）を算出する。
液晶パネル階調値：ＲＧＢＷ＝１．０／１．０／０．５／０．５  （過程ｖｉｉ） 
バックライト階調値：ＲＧＢ＝１．０／０．８／０．５          （過程ｖｉｉｉ）
【００５７】
また、特定値算出部５２は、表示すべき画像のＲＧＢ値の中の最小値を、該ＲＧＢ値夫々に加算することにより、バックライト１２が白光を発する場合における、液晶パネル１１を通過する光の色を特定するＲＧＢ値（特定ＲＧＢ値）を求める。これは、過程ｖｉで得られたものと同一のＲＧＢ値となる。（過程ｉｘ）
ＲＧＢ＝１．２５／１．０５／０．５
【００５８】
乗算部５３は、上述の過程ｉｖと同様に、過程ｖｉｉで得られた液晶パネル階調値のＷ画素に係る値と、過程ｖｉｉｉで得られたバックライト階調値との乗算を行い、ＲＧＢ夫々に対する、前記Ｗ色分を求める。（過程ｘ）
Ｗ（ｒ）：０．５、Ｗ（ｇ）：０．４、Ｗ（ｂ）：０．２５
【００５９】
減算部５４は、過程ｉｘにて得られた特定ＲＧＢ値の夫々の値から、過程ｘにて得られたＷ色分を引く。（過程ｘｉ）  すなわち、ここでは、バックライト１２が白光を発する場合における、液晶パネル１１を通過する光のＲＧＢ値の内、ＲＧＢ色分が得られる。
Ｒ（ｒ）：１．２５−０．５＝０．７５  
Ｇ（ｇ）：１．０５−０．４＝０．６５
Ｂ（ｂ）：０．５−０．２５＝０．５
【００６０】
一方、上述したように、液晶パネル階調値及びバックライト階調値の乗算によって、表示すべき画像のＲＧＢ値が決められるので、バックライト階調値が過程ｖｉｉｉで得られた値である場合は、該バックライト階調値にて、過程ｘｉで得られたＲＧＢ色分を割ることにより、対応する液晶パネル階調値を得ることが出来る。
【００６１】
除算部５５は、過程ｘｉで得られたＲＧＢ色分を、過程ｖｉｉｉで得られたバックライト階調値にて除算する。（過程ｘｉｉ）
液晶パネル階調値：Ｒ＝０．７５÷１．０＝０．７５
液晶パネル階調値：Ｇ＝０．６５÷０．８＝０．８１２５
液晶パネル階調値：Ｂ＝０．２５÷０．５＝０．５
液晶パネル階調値：Ｗ＝０．５  （最小値）
【００６２】
過程ｖｉｉでＲＧＢ算出部５１によって得られた液晶パネル階調値は、過程ｘｉｉで除算部５５の除算によって得られた液晶パネル階調値（第１ＲＧＢ値）に置き換えられる。
【００６３】
以降、バックライト駆動部９は、過程ｖｉｉｉでＲＧＢ算出部５１によって得られたバックライト階調値に基づき、バックライト１２を点灯させる。また、タイミングコントローラ７は、過程ｘｉｉで除算部５５の除算によって得られた液晶パネル階調値（第１ＲＧＢ値）に基づき、液晶パネル１１を制御し、所定画像の表示を行う。これによって、バックライトが所定の色の光を発する場合であっても、バックライトから白色の光が発せられている場合と同様に、色相を保ちながら、ＲＧＢの夫々の輝度の向上を図ることが出来る。
【００６４】
ここで、過程ｘｉｉにて得られた液晶パネル階調値に基づき、液晶パネル１１を通過した光の色のＲＧＢ値を求めてみる。
【００６５】
過程ｘｉｉで得られた液晶パネル階調値は、
ＲＧＢＷ＝０．７５／０．８１２５／０．５／０．５  
であり、
過程ｖｉｉｉで得られたバックライト階調値は、
ＲＧＢ＝１．０／０．８／０．５
である。          
【００６６】
これらの液晶パネル階調値及びバックライト階調値を用いて、上述したように、過程ｉｉｉ、過程ｉｖ及び過程ｖの計算を行った場合、液晶パネル１１を通過した光の色のＲＧＢ値は、‘１．２５／１．０５／０．５’となる。これは、バックライト１２が白色の光を発する場合と同じ値である。（図３参照）
【００６７】
図５は本発明に係る表示装置１のデータ補正部５によって得られる液晶パネル階調値に基づく表示における、ＲＧＢ色分及びＷ色分の割合を表すグラフである。図５から分かるように、過程ｘｉｉで得られた液晶パネル階調値に基づき、液晶パネル１１を制御することによって、バックライトが所定の色の光を発する場合であっても、色相を保ちながら、ＲＧＢの夫々の輝度の向上を図ることが出来る。
【００６８】
図６は本発明の実施の形態１に係る表示装置１における、液晶パネル階調値の生成処理を説明するフローチャートである。
【００６９】
まず、画像データ取得部２は、例えば、前記記憶部から画像データ（ＲＧＢ値）を取得する（ステップＳ１０１）。また、画像データ取得部２はさまざまな入力の画像データを切り替えて、データ処理部３に送る。
【００７０】
この際、データ算出部５のＲＧＢ算出部５１は、ＲＧＢデータ処理部４を介して表示すべき画像のＲＧＢ値を受け取り、該ＲＧＢ値に基づき、液晶パネル階調値及びバックライト階調値を算出する（ステップＳ１０２）。（上述の過程ｖｉｉ及び過程ｖｉｉｉ参照）
【００７１】
また、特定値算出部５２は、表示すべき画像のＲＧＢ値の中の最小値を、該ＲＧＢ値夫々に加算することにより、前記特定ＲＧＢ値を求める（ステップＳ１０３）。（上述の過程ｉｘ参照）
【００７２】
次いで、乗算部５３は、ステップＳ１０２で得られた、液晶パネル階調値のＷ画素に係る値と、バックライト階調値との乗算を行って（ステップＳ１０４）、前記Ｗ色分を求める。（上述の過程ｘ参照）
【００７３】
この後、減算部５４は、ステップＳ１０３にて得られた特定ＲＧＢ夫々の値から、ステップＳ１０４にて得られたＷ色分を減算する（ステップＳ１０５）。（上述の過程ｘｉ参照）  
【００７４】
次いで、除算部５５は、ステップＳ１０５での減算によって得られたＲＧＢ値を、ステップＳ１０２で得られたバックライト階調値で除算し（ステップＳ１０６）、新たに液晶パネル階調値（第１ＲＧＢ値）を求める。（上述の過程ｘｉｉ参照）
【００７５】
以降、ステップＳ１０２で得られた液晶パネル階調値は、ステップＳ１０６で得られた液晶パネル階調値に置き換えられ、バックライト駆動部９は、ステップＳ１０２で得られたバックライト階調値に基づき、バックライト１２を点灯させ、タイミングコントローラ７は、ステップＳ１０６で得られた新たな液晶パネル階調値に基づき、液晶パネル１１を制御する（ステップＳ１０７）。
【００７６】
（実施の形態２）
図７は本発明の実施の形態２に係る表示装置１の要部構成を示す機能ブロック図である。実施の形態２の表示装置１は、動作を行うためのコンピュータプログラムが、Ｉ／Ｆ６１を介してＣＤ−ＲＯＭ等の可搬型記録媒体Ａで提供することも可能であるように構成されている。さらに、実施の形態２の表示装置１は、前記コンピュータプログラムを、図示しない外部装置から通信部６０を介してダウンロードすることも可能であるように構成されている。以下に、その内容を説明する。
【００７７】
実施の形態２の表示装置１は外装（又は内装）の記録媒体読み取り装置（図示せず）を備えており、該記録媒体読み取り装置に、特定ＲＧＢ値に基づき、液晶表示部の駆動に係る第１ＲＧＢ値を算出させ、第１ＲＧＢ値に基づき、液晶表示部を駆動させるプログラム、液晶表示部の駆動に係る第２ＲＧＢ値、及びバックライトの駆動に係る第３ＲＧＢ値を算出させ、表示すべき画像の階調値の中の最小値を階調値の夫々に加算して、特定ＲＧＢ値を算出させ、第２ＲＧＢ値の中のＷ画素に係る値及び第３ＲＧＢ値の乗算を行わせ、算出された特定ＲＧＢ値から乗算の結果を減算させ、減算の結果を第３ＲＧＢ値にて除算させるプログラム等が記録された可搬型記録媒体Ａを挿入して、例えば、ＣＰＵ２０がＥＰＲＯＭ３０にこのプログラムをインストールする。かかるプログラムはＲＡＭ４０にロードして実行される。これにより、実施の形態１の本発明の表示装置１として機能する。
【００７８】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００７９】
通信部６０を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００８０】
実施の形態１と同様の部分については、同一の符号を付して詳細な説明を省略する。
【符号の説明】
【００８１】
１  表示装置
５  データ算出部（算出手段）
７  タイミングコントローラ
１０  表示部
１１  液晶パネル
１２  バックライト
５１  ＲＧＢ算出部
５２  特定値算出部
５３  乗算部
５４  減算部
５５  除算部
Ｒ  Ｒ画素
Ｇ  Ｇ画素
Ｂ  Ｂ画素
Ｗ  Ｗ画素
【図１】
0005634336.tif 000002
【図２】
0005634336.tif 000003
【図３】
0005634336.tif 000004
【図４】
0005634336.tif 000005
【図５】
0005634336.tif 000006
【図６】
0005634336.tif 000007
【図７】
0005634336.tif 000008